(57)【要約】【課題】従来の磁性体を介して信号線の出力信号を電力線に注入する非接触型信号注入装置は、信号線と電力線とが磁性体に接触する構造が採用されていたため、線に加わる外力が磁性体に作用し、磁性体間のギャップが安定に確保されないという課題を解決するために、信号線と電力線が磁性体に接触しないようするとともに、電力線をケースに強固に固定する構造とした。【解決手段】磁性体およびケースの上、下ふたに設けられた電力線の通し穴が電力線の外径より大きく、ケースに設けられたベルト固定具によって電力線が固定されるとともに、信号線は電力線から離れてケースに固着されている。【選択図】        図１
2004356776.tif 000002
【特許請求の範囲】
【請求項１】
磁性体を介して信号線の出力信号を電力線に注入する非接触型信号注入装置であって、
前記磁性体は、長手方向に２分割された円柱状であり、前記分割面には所要のギャップを形成するスペーサが設けられているとともにケースに覆われて保持されており、前記磁性体の長手方向および前記ケースの上・下ふたには、前記信号線と電力線を通す穴が設けられており、前記磁性体およびケースの穴径は前記電力線の外径より大きい径を有するものであり、前記ケースにはベルト固定具が設けられて、前記ベルト固定具を介したベルトによって前記電力線が前記ケースに固定されているとともに、前記信号線は前記電力線から離れて前記ケースに固着されていることを特徴とする非接触型信号注入装置。
【請求項２】
前記ケースには、バネ支えと複数の固定具とが設けられており、前記バネ支えと固定具との間に備えられた複数のバネによって前記複数の固定具が前記電力線を押しつけて固定することを特徴とする請求項１に記載の非接触型信号注入装置。
【請求項３】
前記ケースの内壁に緩衝材が設けられていることを特徴とする請求項１または請求項２に記載の非接触型信号注入装置。
【請求項４】
前記磁性体の長手方向および前記ケースの上・下ふたに設けられた穴径は、ふたに設けられた穴径の方が磁性体の穴径より小さいことを特徴とする請求項１〜請求項３のいずれか１項に記載の非接触型信号注入装置。
【請求項５】
前記ケースには上部ケースおよび下部ケースが設けられており、その内部には前記信号線の係止部が設けられるとともに、側部には前記信号線用の通し穴が設けられており、前記信号線が前記通し穴を介し、前記係止部で前記ケースおよび上、下部ケースに固着されることを特徴とする請求項１〜請求項３のいずれか１項に記載の非接触型信号注入装置。
【発明の詳細な説明】
【０００１】
【発明の属する技術分野】
この発明は、電力線を通信線として使用する電力線搬送通信において、電力線搬送通信信号を電力線に注入するための非接触型信号注入装置に関するものであり、特に磁性体間ギャップを安定して確保するとともに、電力線を強固に固定した装置に係るものである。
【０００２】
【従来の技術】
電力線回路を使用して電圧または電流信号を伝送する電力線搬送用方式として、三脚磁心の両脚に各々一次コイル、二次コイルを巻回し、中央脚を漏洩分路とした疎結合リアクトルの例が示されている（例えば、特許文献１参照）。
【０００３】
【特許文献１】
特開平３−３５６２３号公報（２頁、第１図）
【０００４】
【発明が解決しようとする課題】
しかしながら、前記特許文献１に示されたものは、磁性体間のギャップにギャップ部材が設けられていることが記載されているにすぎず、磁性体間のギャップを安定して確保することに関しては何ら示されてない。
また、他の構造の非接触型信号注入装置として、図８に示すものがある。この構造は電力線搬送通信信号を電力線に注入（結合）させるための磁性体２を有し、信号線１から出力信号を送信することで図示しない電力線に信号が注入される。その構成を図９、図１０に示す。図１０（ａ）に示すように２分割した磁性体２はその分割面にギャップ形成材３が貼り付けられて円柱状とされ、図９に示すＤ１φの直径となる電力線６および信号線１の通し穴２ａが設けられている。
さらにこの磁性体２は図１０（ｂ）に示す樹脂性ケース４で保持、覆われている。ケース４は開閉式であり、上・下ふた４ｂ，４ｃに前記磁性体２の通し穴２ａの直径Ｄ１φと同じ直径のＤ２φとなる通し穴４ａが設けられている。
この直径Ｄ１φ，Ｄ２φは電力線６の外径ｄ１φより信号線１の貫通スペースを配慮したやや大き目の径である。図９に示すように信号線１および電力線６は磁性体２の通し穴２ａおよび、ケース４の上・下ふた４ｂ，４ｃの通し穴４ａを貫通しており、図示省略した締め付け具でケース４を閉鎖することにより、磁性体２を介して電力線６および信号線１に接触面圧を加えることにより、前記線をケース４に保持している。
【０００５】
このように特許文献１では磁性体間のギャップを安定に確保する記載はなく、また図９に示した従来技術では、電力線と信号線とが磁性体に接触しているため、電力線あるいは信号線に加わる外力が磁性体に作用し、磁性体間のギャップが安定して確保されないという問題や、仕様毎に電力線の直径が異なる場合があり、その都度電力線の外径に合わせた通し穴を有する磁性体およびケースを準備する必要があるという問題点があった。
この発明は、このような課題を解決するためになされたものであり、磁性体およびケースの上・下ふたに設けられた穴径が電力線の外径より大きく、かつケースに設けられたベルト固定具を介しベルトによって電力線がケースに固定されるとともに、信号線は電力線から離れてケースに固着されているものである。
【０００６】
【課題を解決するための手段】
磁性体を介して信号線の出力信号を電力線に注入する非接触型信号注入装置であって、磁性体は長手方向に２分割された円柱状であり、分割面には所要のギャップを形成するスペーサが設けられているとともに、ケースに覆われて保持されており、磁性体の長手方向およびケースの上・下ふたには、信号線と電力線を通す穴が設けられており、前記磁性体およびふたの穴径は電力線外径より大きい径を有するものであり、
ケースにはベルト固定具が設けられて、ベルト固定具を介したベルトによって電力線がケースに固定されているとともに、信号線は電力線から離れてケースに固着されているものである。
【０００７】
【発明の実施の形態】
実施の形態１．
以下、この発明の実施の形態１を図に基づいて説明する。なお、非接触型信号注入装置の基本構成は、既述の図９と同じである。
図１（ａ）は、この実施の形態１による非接触型信号注入装置１００を示す正面図であり、図１（ｂ）は、上部平面図である。図２、図３も参照して説明すると、フェライト等の強磁性材の磁性体２は長手方向に２分割された円柱状であり、中央には電力線６、信号線１を通すための穴２ａを有している。また２分割された分割面には所要の磁性体間ギャップを形成するため、両面テープや粘着性のある繊維等のスペーサ３が張り付けられている。樹脂性の磁性体ケース４は両開き可能な構造であり、磁性体２を収納後、締め付け具５で締め付けることにより磁性体２をケース４内に保持する。また、ケース４の上ふた、下ふた４ｂ、４ｃには、電力線６、信号線１を通すための穴４ａが設けられている。さらに上ふた４ｂにはベルト固定具７が設けられており、図１（ｂ）に示すように電力線６をベルト８で縛り付け、ベルト固定具７を介して電力線６をケース４に強固に固定している。信号線１は図１（ａ）に示すように電力線６から離れた個所でケース４の長手方向の外部を縛るように設けられている。
ここで、磁性体２に設けられた通し穴２ａの直径Ｄ１は、ケース４の上ふた４ｂと下ふた４ｃの通し穴４ａの直径Ｄ２よりも大きく、また、この直径Ｄ２は電力線６の外径ｄ１よりも大きい。従って、ケース４に電力線６、信号線１を貫通して固定してもそれらの線が磁性体２に接触することはない。
このような状態に組み合わされた非接触型信号注入装置１００は、信号線１に電力線搬送通信信号を印加することにより、磁性体２に通した電力線６に対して磁性体２により前記信号を磁気結合されることにより注入（結合）させることができる。
【０００８】
図２によって各構成要素を詳述する。図２は磁性体２、スペーサ３、電力線６の組み合わせ前の見取り図である。
長手方向に２分割された磁性体２はスペーサ３によって接着されて組み合わされると、直径Ｄ１の通し穴２ａを有した円柱状となる。なお磁性体２はフェライトやこれと同等の強磁性体であればよい。
次に、図３（ａ）にケース４を両開きにした状態を示す。このケース４は樹脂性であり、上ふた４ｂにベルト固定具７が、またケース４の側部には磁性体２を収納後、磁性体２を覆って保持するよう両開き構造を閉める締め付け具５が設けられている。
図３（ｂ）に樹脂性ベルト８を示す。このベルト８は電力線６を縛り上げ、ベルト固定具７に固定する。ベルト８にはベルト部分８ａ、ベルト固定具７に固定するための突起部８ｂ、固定用穴８ｃ、突起８ｄを有している。
【０００９】
このような各要素を組み合わせた非接触型信号注入装置１００は図１に示すように磁性体２の通し穴径Ｄ１＞上、下ふた４ｂ、４ｃの穴径Ｄ２＞電力線６の外径ｄ１の関係を有しているので、磁性体２が電力線６に接触することなくケース４にそれぞれ保持、固定されることになり、また、信号線１は電力線６と離れた個所でケース４を長手方向に縛り上げるよう固着され、この信号線１も磁性体２に接触することがないので、これら線を介しての外力が磁性体２の接着面に作用することがなく、ギャップを安定して確保することができる。
また、非接触型信号注入装置１００は、電力線６に対して任意の位置に固定することができ、装置設置の簡易化がはかれる。なお、ベルト固定具７をケース４の上ふた４ｂに設けた例を示したが、下ふた４ｃに設けてもよく、また上、下ふた４ｂ、４ｃの双方に設けてもよい。
【００１０】
実施の形態２．
次に実施の形態２を図４、図５に基づいて説明する。
図４（ａ）はこの実施の形態２による非接触型信号注入装置１００を示す正面図であり、図４（ｂ）は上部平面図である。図５（ａ）はケース４の見取り図であり、樹脂性ケース４の上ふた４ｂにはケース４と一体化したバネ支え４ｄが設けられている。このバネ支え４ｄの内部にはバネ固定具９が左右に２個配置されており、このバネ固定具９とバネ支え４ｄとの間には複数のバネ１０が設けられている。
図５（ｃ）、５（ｄ）にバネ支え４ｄにバネ固定具９、バネ１０を取り付けた状態の概念を示す。この実施の形態２でも磁性体２の穴径Ｄ１＞上、下ふた４ｂ、４ｃの穴径Ｄ２＞電力線の外径ｄ１の関係があるので、磁性体２と電力線６とは接触することがなく、また信号線１も電力線６から離れた個所でケース４の長手方向を縛るように設けられているので、磁性体２と電力線６、信号線１が接触することなく、それぞれがケース４に保持固定、固着されているので、磁性体２のギャップが安定に保持することができる。なおバネ支え４ｄは下ふた４ｃ上に設けてもよく、さらに上、下ふた４ｂ、４ｃの双方に設けてもよい。またさらに、バネ固定具９を２個設ける例を示したが、３個あるいは４個等、複数個設けてもよい。
【００１１】
実施の形態３．
実施の形態３を図６、図７に基づいて説明する。
図６は、この実施の形態３による非接触型信号注入装置１００を示す正面図、図７は、ケース４を両開きにした状態を示す図である。
このケース４の上、下ふた４ｂ、４ｃ上にはそれぞれケース４と一体化された上部ケース４ｅ、下部ケース４ｆが設けてある。そしてこの上部ケース４ｅ、下部ケース４ｆの内部には信号線９の係止部１１が設けられているとともにその側部には信号線９の通し穴４ｇが設けられている。上部ケース４ｅの上部には実施の形態１で示したベルト固定具７が設けられている。係止部１１の信号線１を係止する端部１ａが、図６に示すように信号線１を係止した際に、信号線１が磁性体２の穴径２ａ（Ｄ１φ）より内側で、かつ電力線６（ｄ１φ）より外側となり、共に接触しないよう係止部１１が上部、下部ケース４ｅ、４ｆに設けられている。また電力線６は、前記実施の形態１と同様にケース４にベルト８にて強固に固着されている。
このような構成の非接触型信号注入装置１００では、信号線１が電力線６より外側で、かつ磁性体２より内側の位置にて、係止部１１によってケース４に係止し、縛り付けるよう固着されているので、信号線１に加わる外力による磁性体２のギャップが損なわれることがないという効果を奏する。
【００１２】
実施の形態４．
この実施の形態４は、前述した実施の形態１および実施の形態２のケース４の内壁に、ゴム、スポンジ等の弾力性ある部材を貼り付けたものである。このような緩衝材が設けられることにより、非接触型信号注入装置１００に直接何らかの外力が加わったとき、その外力がケース４を介して磁性体２に伝播するのを緩衝材にて緩和することができ、その結果、２分割された磁性体２間のギャップが安定に保たれるという効果を奏する。
【００１３】
【発明の効果】
この発明は、以上述べたような構成であるので、以下のような効果がある。
磁性体を介して信号線の出力信号を電力線に注入する非接触型信号注入装置であって、磁性体は、長手方向に２分割された円柱状であり、分割面には所要のギャップを形成するスペーサが設けられているとともに、ケースに覆われて保持されており、磁性体の長手方向および前記ケースの上・下ふたには、信号線と電力線を通す穴が設けられており、前記磁性体およびケースの穴径は電力線の外径より大きい径を有するものであり、ケースにはベルト固定具が設けられて、ベルト固定具を介したベルトによって電力線がケースに固定されているとともに、信号線は電力線から離れてケースに固着されているものであるので、電力線および信号線が磁性体に接触しないので、線に加わる外力は、２分割された磁性体の接着面に作用せず、磁性体間のギャップを安定して確保することができるという優れた効果を奏する。
【図面の簡単な説明】
【図１】この発明の実施の形態１による非接触型信号注入装置の正面図である。
【図２】この発明の実施の形態１の構成要素を示す見取り図である。
【図３】この発明の実施の形態１のケースの両開き状態を示す図である。
【図４】この発明の実施の形態２による非接触型信号注入装置の正面図である。
【図５】この発明の実施の形態２のケースの見取り図および構成要素を示す図である。
【図６】この発明の実施の形態３による非接触型信号注入装置の正面図である。
【図７】この発明の実施の形態３のケースの両開き状態を示す図である。
【図８】この発明および従来の非接触型信号注入装置の原理を示す図である。
【図９】従来の非接触型信号注入装置の正面図である。
【図１０】従来の磁性体およびケースの見取り図である。
【符号の説明】
１  信号線、２  磁性体、３  スペーサ、４  ケース、４ａ  穴、４ｂ  上ふた、４ｃ  下ふた、４ｄ  バネ支え、４ｅ  上部ケース、４ｆ  下部ケース、６  電力線、７  ベルト固定具、８  ベルト、９  固定具、１０  バネ、１１  係止部、１００  非接触型信号注入装置。
【図１】
2004356776.tif 000003
【図２】
2004356776.tif 000004
【図３】
2004356776.tif 000005
【図４】
2004356776.tif 000006
【図５】
2004356776.tif 000007
【図６】
2004356776.tif 000008
【図７】
2004356776.tif 000009
【図８】
2004356776.tif 000010
【図９】
2004356776.tif 000011
【図１０】
2004356776.tif 000012